(57)【要約】【課題】接続用パッキン８を配置できる空間を有効活用する。サイクロン集塵機での仕事率を向上させる。【解決手段】掃除機本体における接続ホース２の差込口６と、掃除機本体に収容されるサイクロン集塵機の空気導入口とを連結する接続用パッキン８を、掃除機本体内に設ける。接続用パッキン８は、掃除機本体内における当該接続用パッキン８の配置空間の許容限度に対応した多角形状（例えば四角形状）で形成されている。また、接続用パッキン８は、内部が例えば四角形状に開口された開口部８ａを有しており、開口部８ａの開口面積が接続ホース２の断面積以上となる形状で形成されている。【選択図】  図１
2004202073.tif 000002
【特許請求の範囲】
【請求項１】
吸込口体と接続される接続ホースが差し込まれる差込口と、
電動送風機の運転によって上記差込口を介して吸引された空気を、空気導入口を介して内部に導入して旋回させ、上記空気に含まれる塵埃を遠心分離するサイクロン集塵機と、
内部が開口された開口部を有し、上記差込口と上記空気導入口とを連結する接続用パッキンとを掃除機本体に備えた電気掃除機であって、
上記接続用パッキンは、上記開口部の開口面積が上記接続ホースの断面積以上となるような多角形状で形成されていることを特徴とする電気掃除機。
【請求項２】
吸込口体と接続される接続ホースが差し込まれる差込口と、
電動送風機の運転によって上記差込口を介して吸引された空気を、空気導入口を介して内部に導入して旋回させ、上記空気に含まれる塵埃を遠心分離するサイクロン集塵機と、
内部が開口された開口部を有し、上記差込口と上記空気導入口とを連結する接続用パッキンとを掃除機本体に備えた電気掃除機であって、
上記接続用パッキンは、上記掃除機本体内における当該接続用パッキンの配置空間の許容限度に対応した多角形状で形成されていることを特徴とする電気掃除機。
【請求項３】
上記接続用パッキンは、上記開口部の開口面積が上記接続ホースの断面積以上となる形状で形成されていることを特徴とする請求項２に記載の電気掃除機。
【請求項４】
上記接続用パッキンは、上記空気導入口の形状に対応した形状で形成されていることを特徴とする請求項１ないし３のいずれかに記載の電気掃除機。
【請求項５】
上記接続用パッキンは、四角形状であることを特徴とする請求項１ないし４のいずれかに記載の電気掃除機。
【請求項６】
上記差込口における上記接続用パッキンとの接合部は、上記接続用パッキンの開口部の形状に対応した形状で形成されていることを特徴とする請求項１ないし５のいずれかに記載の電気掃除機。
【請求項７】
上記掃除機本体は、上記サイクロン集塵機から排出される空気に含まれる塵埃を除去するための直方体形状のフィルタと、上記フィルタを支持する支持部材とをさらに備え、
上記支持部材は、上記フィルタにおける上記サイクロン集塵機からの排出空気の進入面と対向する面、および、上記進入面と上記対向面とを連結する各面を、開口部を有して支持していることを特徴とする請求項１ないし６のいずれかに記載の電気掃除機。
【請求項８】
上記サイクロン集塵機は、上記掃除機本体内で、上記接続ホースの差込口と上記電動送風機との間に設けられていることを特徴とする請求項１ないし７のいずれかに記載の電気掃除機。
【発明の詳細な説明】
【０００１】
【発明の属する技術分野】
本発明は、サイクロン集塵機を掃除機本体に収容するタイプの電気掃除機に関するものであり、特に、接続ホースの差込口と上記サイクロン集塵機の空気導入口とを連結する接続用パッキンを備えた電気掃除機に関するものである。
【０００２】
【従来の技術】
従来から、電動送風機が収容される掃除機本体と吸込口体との間の吸気路にサイクロン集塵機を配するようにした電気掃除機が種々提案されている（例えば、特許文献１参照）。この特許文献１の電気掃除機では、上記吸気路にサイクロン集塵機を収納する収納部が設けられている。そして、この収納部の空気供給口において、サイクロン集塵機の空気導入口との接触部分には、上記空気導入口の周囲に密接するゴム等の弾性体からなるシール部が設けられている。これにより、吸込口体から吸引された空気が上記収納部を介して外部に漏れることなくサイクロン集塵機に導かれるようになっている。
【０００３】
また、サイクロン集塵機は、通常、円筒形で形成されており、空気導入口は、サイクロン集塵機の周面において接線方向に形成されている（例えば、特許文献１および２参照）。これにより、空気導入口を介して内部に導入される空気が螺旋状に旋回するようになっている。
【０００４】
【特許文献１】
特開２００２−５１９４８号公報（２００２年２月１９日公開）
【特許文献２】
特開２００２−６５５３２号公報（２００２年３月５日公開）
【０００５】
【発明が解決しようとする課題】
ところで、サイクロン集塵機を、電動送風機が収容される掃除機本体側に収容するタイプの電気掃除機においても、上記したシール部のような部材が設けられる。つまり、吸込口体と接続された接続ホースが差し込まれる差込口と、サイクロン集塵機の空気導入口との間に、上記シール部に相当する接続用パッキンが設けられる。これにより、差込口とサイクロン集塵機の空気導入口とが接続用パッキンを介して密接に連結され、吸込口体から差込口に供給される空気が、接続用パッキンの開口部を介してサイクロン集塵機の空気導入口に供給されるようになっている。
【０００６】
ここで、近年では、操作性向上等の観点から、掃除機本体の小型化が望まれているため、サイクロン集塵機を掃除機本体に収容するタイプの電気掃除機においては、掃除機本体内部に配置される部品の寸法の制約が益々厳しいものとなっている。したがって、そのような部品の一つである接続用パッキンについても、極力小さい寸法で形成されることが必要となっている。
【０００７】
このとき、接続用パッキンの開口部の面積が、例えば接続ホースの断面積よりも小さいと、空気吸引時の圧力損失が高くなり、また、サイクロン集塵機に供給される空気の風量低下によって、サイクロン集塵機での仕事率も低下するので好ましくない。したがって、接続用パッキンの形状は、掃除機本体内での寸法制約範囲内で、その開口部の面積を極力大きくできるように、円形で形成されるのが一般的である。
【０００８】
ところが、上記の寸法制約は、接続用パッキンの開口部を含む面内で、必ずしも、縦方向と横方向とで同じであるとは限らず、むしろ異なることのほうが普通である。そのため、上記のように接続用パッキンを円形で構成すると、縦方向と横方向とで寸法制約が異なる場合には、最も厳しい方向の寸法制約に合う接続用パッキンを使用しなければならない。したがって、このように接続用パッキンが小型化する結果、風量低下によるサイクロン集塵機での仕事率が低下するという問題が生ずる。
【０００９】
本発明は、上記の問題点を解決するためになされたものであり、その目的は、接続用パッキンを配置できる空間を最大限に活用することによって、サイクロン集塵機に極力大量の空気を導入し、これによってサイクロン集塵機での仕事率を向上させることができる電気掃除機を提供することにある。
【００１０】
【課題を解決するための手段】
本発明によれば、接続ホースが差し込まれる差込口とサイクロン集塵機の空気導入口とが、接続用パッキンを介して連結される。これにより、電動送風機の運転により、吸込口体、接続ホースを介して吸引された空気が、差込口、接続用パッキンの開口部および空気導入口を介して、サイクロン集塵機内に導入される。そして、サイクロン集塵機内で、空気中に含まれる塵埃が遠心分離される。
【００１１】
ここで、上記接続用パッキンは、開口部の開口面積が接続ホースの断面積以上となるような多角形状で形成されている。開口部の開口面積が接続ホースの断面積以上であることにより、接続用パッキンにおいて圧力損失が生じるのを回避することができる。
【００１２】
また、接続用パッキンを多角形状で構成することにより、接続用パッキンの掃除機本体内での配置空間がどのような方向から制限されていても、多角形状の接続用パッキンの各辺の長さを調節することで、上記配置空間を最大限に利用できる接続用パッキンを構成することができる。この場合、接続用パッキンの開口部も極力大きく形成することができるので、サイクロン集塵機に極力大量の空気を供給することができ、その結果、サイクロン集塵機での仕事率を向上させることができる。
【００１３】
また、上記接続用パッキンは、掃除機本体における上記接続用パッキンの配置空間の許容限度に対応した多角形状で形成されているとも表現することができる。この許容限度とは、掃除機本体内にて最大限に許容できる接続用パッキンの配置空間を指し、例えば掃除機本体の大きさ、掃除機本体に収容するサイクロン集塵機の大きさ等により決まるものである。上記許容限度が、例えば接続用パッキンの開口部を含む面内において水平方向および垂直方向で異なるような場合、接続用パッキンは、上記許容限度に対応して四角形状（長方形）で構成されればよい。また、上記配置空間が、上記接続用パッキンの開口部を含む面内で例えば平行四辺形となるように制約されていれば、接続用パッキンは、そのような制約範囲の最大限となる平行四辺形で構成されればよい。
【００１４】
このように接続用パッキンの配置空間の許容限度に対応した多角形状で接続用パッキンを構成することにより、接続用パッキンの配置可能な空間がどのような方向から制約されても、接続用パッキンを円形で構成する場合に比べ、接続用パッキンの形状（多角形状）の選択次第で、限られた配置空間を最大限に利用することができる。これにより、接続用パッキンの開口部も極力大きく形成することができるので、サイクロン集塵機に極力大量の空気を供給することができ、その結果、サイクロン集塵機での仕事率を向上させることができる。
【００１５】
【発明の実施の形態】
本発明の実施の一形態について、図１ないし図６に基づいて説明すれば、以下の通りである。図２は、本発明の電気掃除機の概略の構成を示している。本発明の電気掃除機は、掃除機本体１と、接続ホース２と、吸込口体３とを備えている。
【００１６】
接続ホース２は、吸込口体３から吸引された空気を掃除機本体１に供給するための供給路を構成するホースであり、その一端は、掃除機本体１の後述する差込口６（図３参照）に差し込まれる。一方、接続ホース２の他端は、吸込口体３と接続される接続部となっている。吸込口体３は、次に示す電動送風機４の運転により、空気吸込口（図示しない）を介して空気を吸引する。
【００１７】
掃除機本体１は、電動送風機４およびサイクロン集塵機５を収容している。電動送風機４は、吸込口体３、接続ホース２およびサイクロン集塵機５を介して空気を吸引するものである。
【００１８】
ここで、図３は、掃除機本体１内部の概略の構成を示す断面図である。サイクロン集塵機５は、電動送風機４によって後述する差込口６を介して吸引された空気を、後述する空気導入口５ｅを介して内部に導入して旋回させ、上記空気に含まれる塵埃を遠心分離するものであり、掃除機本体１に対して、例えばポップアップ動作により、上下方向に着脱可能に設けられている。以下、サイクロン集塵機５の具体的な構成について説明する。
【００１９】
サイクロン集塵機５は、サイクロン集塵室５ａと、ダストカップ５ｂと、排気筒５ｃと、空気排出口５ｄと、空気導入口５ｅとを有している。
【００２０】
サイクロン集塵室５ａは、接続ホース２から供給される空気を高速旋回させ、上記空気に含まれる塵埃を遠心分離するための部屋であり、その側壁（ダストカップ５ｂ）には、接続ホース２から供給される空気をサイクロン集塵室５ａ内部に導入するための空気導入口５ｅが設けられている。空気導入口５ｅは、差込口６の接合部（差込口６における接続ホース２の差込側とは反対側の部分）の開口部と、後述する接続用パッキン８を介して密接に連結される。なお、空気導入口５ｅの形状等については、後述する。
【００２１】
ダストカップ５ｂは、サイクロン集塵室５ａでの高速旋回により空気から分離された塵埃を集積するものである。排気筒５ｃは、塵埃が分離された後の空気をサイクロン集塵室５ａから外部に排出するための筒であり、その周面には複数の開口部が形成されている。また、それらの開口部は、上記空気に含まれる細かい塵埃を除去するためのメッシュ状のフィルタにて被覆されている。空気排出口５ｄは、排気筒５ｃから排出される空気をサイクロン集塵機５外部に排出するための排出口である。
【００２２】
また、掃除機本体１は、差込口６と、把手部７と、接続用パッキン８と、フィルタ９（図４参照）とを有している。なお、接続用パッキン８は、本発明の最も特徴的な部分であるため、その詳細な説明については後述することとする。
【００２３】
差込口６は、吸込口体３と接続される接続ホース２が差し込まれる部分である。本実施形態では、差込口６は、掃除機本体１の横置き状態（掃除機使用状態）において、接続ホース２の差込方向が床面（もしくは掃除機本体１の底部１ｂ）と水平となるように、掃除機本体１の前面１ａから突出して設けられているが、接続ホース２の差込方向が床面に対して若干傾斜するように設けられていても構わない。また、差込口６は、掃除機本体１において、サイクロン集塵機５の空気導入口５ｅの高さに対応した位置に設けられており、接続ホース２から供給される空気が、ほぼ水平方向に進行して空気導入口５ｅに供給されるようになっている。
【００２４】
また、差込口６における接続用パッキン８との接合部は、接続用パッキン８の開口部８ａ（図１参照）の形状に対応して形成されている。例えば、接続用パッキン８の開口部８ａが四角形であれば、上記接合部もその開口部が接続用パッキン８の開口部８ａの形状に合わせて四角形となるように形成される。これにより、差込口６と接続用パッキン８とを確実に密着させて、上記接合部における圧力損失を確実に無くすことができるとともに、差込口６を介して多量の空気をサイクロン集塵機５に供給することができる。
【００２５】
把手部７は、掃除機本体１を特に縦置き状態（スタンド収納状態で）持ち運ぶために握られる部分であり、掃除機本体１の一側方に設けられた差込口６の側壁６ａと、掃除機本体１の底部１ｂとを連結してなっている。より具体的には、把手部７は、掃除機本体１の底部１ｂから、掃除機本体１の差込口６の側壁６ａに向かって、つまり、上方に向かって、放物線を描くように湾曲して形成されている。
【００２６】
フィルタ９は、サイクロン集塵機５の空気排出口５ｄから排出される空気に含まれる塵埃を除去するためのものであり、図４に示すように、例えば直方体形状で形成されている。サイクロン集塵機５に供給される空気のほとんどは、サイクロン集塵機５内部での高速旋回により空気から分離されるが、フィルタ９は、それでもなお除去されなかった細かい塵埃を除去するために設けられている。このフィルタ９は、同図に示すように、支持部材１０によって支持されている。
【００２７】
支持部材１０は、例えば凹状に網目を形成した金属もしくは樹脂からなり、直方体形状のフィルタ９におけるサイクロン集塵機５からの排出空気の進入面を除く残りの５面を支持している。したがって、支持部材１０は、直方体形状のフィルタ９におけるサイクロン集塵機５からの排出空気の進入面と対向する面、および、上記進入面と上記対向面とを連結する各面を、それぞれ複数の開口部（網目の部分）を有して支持するものであると言える。
【００２８】
このような支持部材１０にてフィルタ９を支持することにより、フィルタ９における上記排出空気の進入面と対向する面のみならず、フィルタ９の残りの側面からも、支持部材１０の複数の開口部を介してフィルタ９から空気を排気することができる。よって、上記対向面のみから空気を排出する構成に比べ、格段に排気効率を上げるとともに、フィルタ９を有効活用することができる。
【００２９】
上記の構成において、図３に示すように、掃除機本体１に収容された電動送風機４が駆動されると、吸込口体３の空気吸込口より空気が吸引され、その空気が、接続ホース２および差込口６を介してサイクロン集塵機５に送られる。上記空気は、サイクロン集塵機５の空気導入口５ｅからサイクロン集塵室５ａに導入され、そこで、空気中に含まれる塵埃が遠心分離され、サイクロン集塵室５ａの下部でダストカップ５ｂに集積される。一方、塵埃の除去された空気は、その後、排気筒５ｃ、空気排出口５ｄ、フィルタ９および電動送風機４を介して掃除機本体１に設けられた排出口（図示せず）より、機外に排出される。すなわち、接続ホース２を介して掃除機本体１に供給される空気は、掃除機本体１内で図中の矢印で示す経路をたどる。
【００３０】
ダストカップ５ｂに集積された塵埃（ゴミ）を捨てる場合には、サイクロン集塵機５を掃除機本体１からポップアップさせ、サイクロン集塵機５からダストカップ５ｂを分離することで、ダストカップ５ｂの中身のゴミを捨てることができる。
【００３１】
本実施形態では、サイクロン集塵機５は、掃除機本体１内で、接続ホース２の差込口６と電動送風機４との間に設けられているので、吸引された空気は、上述の通り、接続ホース２、差込口６、サイクロン集塵機５、電動送風機４の順で、つまり、掃除機本体１内部を、その前方から後方に向かって流れることになる。したがって、電動送風機４の後方（電動送風機４に対して差込口６とは反対側）にサイクロン集塵機５を収容した場合に比べ、空気の流路を短く形成することが可能であり、電気掃除機としての仕事率を向上させることができる。
【００３２】
次に、本発明の特徴部分である接続用パッキン８について、図１に基づいて説明する。図１は、差込口６に配置された接続用パッキン８をサイクロン集塵機５の収容側から見たときの正面図を示している。
【００３３】
接続用パッキン８は、掃除機本体１の差込口６と、図３に示したサイクロン集塵機５の空気導入口５ｅとを連結するものであり、その内部が開口された開口部８ａを有している。
【００３４】
本実施形態では、掃除機本体１内における接続用パッキン８の配置空間の許容限度に対応した多角形状で、接続用パッキン８を構成した点に大きな特徴がある。上記の許容限度は、例えば、掃除機本体１の大きさ、サイクロン集塵機５（特に、ダストカップ５ｂ）の大きさ等により決まるものである。このような点を踏まえて、以下、接続用パッキン８について詳細に説明する。
【００３５】
なお、以下での説明の便宜上、掃除機本体１内での接続用パッキン８の配置空間が、縦方向（床面（底部１ｂ）に垂直な方向）よりも、横方向（差込口６から空気導入口５ｅに至る空気の流路に対して垂直な断面内で、床面（底部１ｂ）に平行な方向）に厳しく制約されている場合を考える。そして、接続用パッキン８の縦方向および横方向の最大許容寸法が、それぞれ縦方向にａ〔ｍｍ〕、横方向にｂ（ただし、ｂ＜ａ）〔ｍｍ〕であるとする。このとき、接続用パッキン８の縦方向は、開口部８ａの長辺方向となり、横方向は、開口部８ａの短辺方向となる。
【００３６】
接続用パッキンの開口部８ａは、その開口面積が接続ホース２の断面積以上となるような多角形状で形成されており、本実施形態では、上記した接続用パッキン８の配置空間の許容限度に対応して四角形状で形成されている。つまり、四角形状の開口部８ａは、接続ホース２の外径よりも、各辺（長辺および短辺）の長さが長くなっている。そして、本実施形態では、接続用パッキン８全体としても、上記許容限度に対応して四角形状となっている。なお、上記の四角形状には、長方形、正方形、ひし形、平行四辺形、台形等も含まれる。
【００３７】
このように接続用パッキン８の配置空間の許容限度が設定されている場合に、接続用パッキン８を例えば円形で構成すると、この接続用パッキン８は、サイクロン集塵機５への風量を確保して仕事率を低下させないようにするために、最も寸法制約が厳しい横方向の寸法ｂを最大外径とする円形で構成される（図１中のＡ部分）。この場合、縦方向には、ａ−ｂの無駄な空間が存在することとなる。
【００３８】
しかし、接続用パッキン８の配置空間の許容限度に対応した多角形状で接続用パッキン８を構成すれば、接続用パッキン８の配置可能な空間がどのような方向から制約されても、接続用パッキン８を円形で構成する場合に比べて、接続用パッキン８の形状（多角形状）の選択次第で、上記配置可能な空間を最大限に利用することができる。上記の例では、接続用パッキン８の配置空間が横方向から制約されているが、この場合であっても、接続用パッキン８を四角形状で構成することで、上記配置可能な空間を最大限に利用することができる。
【００３９】
これにより、接続用パッキン８の開口部８ａも極力大きく形成することができるので、接続ホース２から差込口６および接続用パッキン８を介してサイクロン集塵機５に極力大量の空気を供給することができる。その結果、サイクロン集塵機５での仕事率を向上させることができる。
【００４０】
また、接続用パッキン８の開口部８ａは、その開口面積が接続ホース２の断面積以上となるような形状で形成されているので、接続用パッキン８に起因する空気吸引時の圧力損失は生じず、これによるサイクロン集塵機５での仕事率の低下はない。
【００４１】
また、接続用パッキン８が四角形状であれば、接続用パッキン８の配置可能な空間がどのような方向から制約されていても、縦方向および横方向の長さの調整だけで、上記配置可能な空間の有効利用を容易に達成できるという利点がある。また、サイクロン集塵機５の空気導入口５ｅは、後述するように仕事率と捕塵率とを考慮して、断面四角形で構成されるので、そのような空気導入口５ｅの形状に対応した形状で接続用パッキン８を形成することにより、差込口６と空気導入口５ｅとを接続用パッキン８を介して確実に連結することができる。
【００４２】
なお、本実施形態では、接続用パッキン８の形状を、四角形状で構成した例について説明したが、これに限定されるわけではなく、接続用パッキン８の配置可能な空間の許容限度に対応した形状であれば、例えば六角形や八角形であってもよく、その他の多角形状であってもよい。また、開口部８ａについても、四角形状に限定されず、その他の多角形状であってもよい。
【００４３】
また、本実施形態のように、接続用パッキン８を、開口部８ａの開口面積が接続ホース２の断面積以上となるような多角形状（上記の例では四角形状）で構成することにより、接続用パッキン８における圧力損失を回避することができることに加えて、接続用パッキン２の掃除機本体１内での配置空間がどのような方向から制限されていても、多角形状の接続用パッキン８の各辺の長さを調節することで、上記配置空間を最大限に利用できる接続用パッキン８を構成することができる。これにより、やはり、接続用パッキン８の開口部８ａも極力大きく形成して、サイクロン集塵機５での仕事率を向上させることができると言える。
【００４４】
したがって、本実施形態の電気掃除機は、吸込口体３と接続される接続ホース２が差し込まれる差込口６と、電動送風機４の運転によって差込口６を介して吸引された空気を、空気導入口５ｅを介して内部に導入して旋回させ、上記空気に含まれる塵埃を遠心分離するサイクロン集塵機５と、内部が開口された開口部８ａを有し、差込口６と空気導入口５ｅとを連結する接続用パッキン８とを掃除機本体１に備えた電気掃除機であって、接続用パッキン８は、開口部８ａの開口面積が接続ホース２の断面積以上となるような多角形状で形成されている構成であるとも言うことができる。
【００４５】
次に、サイクロン集塵機５の空気導入口５ｅの形状について説明する。図５は、サイクロン集塵機５のダストカップ５ｂの斜視図を示している。
【００４６】
空気導入口５ｅは、開口部が四角形状で、サイクロン集塵機５の側面（ダストカップ５ｂの側面）から突出して形成されている。つまり、空気導入口５ｅは、ダストカップ５ｂの側面から突出する４つの側壁１１・１２・１３・１４を有しており、これらで囲まれる空間が上記の開口部となっている。側壁１１・１３は、互いに対向しており、水平方向に平板状となっている。側壁１２・１４は、互いに対向しており、垂直方向に平板状となっている。サイクロン集塵機５が掃除機本体１内に収容されたときには、側壁１４は、掃除機本体１内で最も内側に位置する側壁であり、側壁１２は、掃除機本体１内で最も外側に位置する側壁である。
【００４７】
側壁１２は、略円筒形のサイクロン集塵機５（ダストカップ５ｂ）の周面における接平面となるように形成されている。これにより、空気導入口５ｅを介してサイクロン集塵室５ａ内に導入される空気を、ダストカップ５ｂの側面に沿って効率よく旋回させることができ、サイクロン集塵機５での捕塵率を向上させることができる。
【００４８】
また、本実施形態では、空気導入口５ｅの形状を、捕塵率と仕事率とを両方満足させることができる形状で形成している。以下、この点について説明する。
【００４９】
表１は、側壁１４の位置をダストカップ５ｂの側面に沿って変化させたときの捕塵率と仕事率との関係を示している。
【表１】
2004202073.tif 000003
【００５０】
ここで、表１中、絞り量（ｍｍ）とは、図６に示すように、側壁１４をその基準位置から側壁１２の方向にどれだけ平行移動させたかを示す量である。捕塵率（％）とは、サイクロン集塵機５においてどれだけ塵埃を捕塵できているかを示す値であり、（サイクロン集塵機５での捕塵量／サイクロン集塵機５に吸引させた塵埃量）×１００で示される。
【００５１】
本実施形態では、１日に出る平均的なゴミ量として考えられる３．２ｇの塵埃（ここでは粒径８μｍ〜１０μｍの粉）を空気とともにサイクロン集塵機５に吸引させ、サイクロン集塵機５にて捕塵できた量との比をとることで、捕塵率を計算している。なお、サイクロン集塵機５での捕塵量は、サイクロン集塵室５ａおよびサイクロン集塵機５内のフィルタにて捕獲できた塵埃の量である。
【００５２】
また、仕事率（Ｗ）とは、サイクロン集塵機５での真空圧とサイクロン集塵機５に供給される風量と、係数（本実施形態では、例えば０．１６３４）との積で表されるものである。
【００５３】
表１に示すように、捕塵率と仕事率とは互いに相反する関係にある。すなわち、絞り量を多くする（開口面積を小さくする）と、サイクロン集塵機５に導入される空気の流速が増加し、遠心分離による除去効率が上がるので、捕塵率は増加する一方、サイクロン集塵機５に導入される空気の量は減少するので、仕事率は減少する。逆に、絞り量を小さくする（開口面積を大きくする）と、サイクロン集塵機５に導入される空気の流速が減少するので、捕塵率は減少する一方、サイクロン集塵機５に導入される空気の量が増加するので、仕事率は増加する。しかし、絞り量が０〜２ｍｍの範囲内では、捕塵率が８０％以上８６％以下で、仕事率が３８７Ｗ以上４００Ｗ以下であり、捕塵率と仕事率とは相反する関係にあることを考慮すれば、捕塵率と仕事率とを両立できる範囲内であると言える。
【００５４】
また、絞り量をマイナスにする、つまり、側壁１４を基準位置からさらに側壁１２とは反対方向に遠ざけると、仕事率は増加するものの、捕塵率が悪化することが予想される。逆に、絞り量を２ｍｍ以上にすると、捕塵率は向上するものの、仕事率が悪化することが予想される。
【００５５】
以上のことから、仕事率が３８７Ｗ以上４００Ｗ以下で、かつ、捕塵率が８０％以上８６％以下となるように、空気導入口５ｅの開口部を形成することが望ましく、これにより、サイクロン集塵機５での捕塵率と仕事率とを両方満足させることができると言える。
【００５６】
【発明の効果】
本発明によれば、接続用パッキンは、開口部の開口面積が接続ホースの断面積以上となるような多角形状で形成されているので、接続用パッキンにおいて圧力損失が生じるのを回避することができるとともに、接続用パッキンの掃除機本体内での配置空間がどのような方向から制限されていても、多角形状の接続用パッキンの各辺の長さを調節することで、上記配置空間を最大限に利用できる接続用パッキンを構成することができる。これにより、接続用パッキンの開口部も極力大きく形成して、サイクロン集塵機での仕事率を向上させることができるという効果を奏する。
【００５７】
また、本発明によれば、接続用パッキンは、掃除機本体における上記接続用パッキンの配置空間の許容限度に対応した多角形状で形成されているので、掃除機本体内で接続用パッキンの配置可能な空間がどのような方向から制約されても、接続用パッキンを円形で構成する場合に比べ、接続用パッキンの形状（多角形状）の選択次第で、限られた配置空間を最大限に利用することができる。これにより、接続用パッキンの開口部も極力大きく形成して、サイクロン集塵機での仕事率を向上させることができるという効果を奏する。
【図面の簡単な説明】
【図１】本発明の実施の一形態に係る電気掃除機の掃除機本体内部において、差込口に配置された接続用パッキンをサイクロン集塵機の収容側から見たときの当該接続用パッキンの概略の構成を示す正面図である。
【図２】上記電気掃除機の概略の構成を示す斜視図である。
【図３】上記除機本体内部の概略の構成を示す断面図である。
【図４】上記掃除機本体内に配置されるフィルタおよび支持部材の概略の構成を示す斜視図である。
【図５】上記サイクロン集塵機のダストカップの概略の構成を示す斜視図である。
【図６】上記ダストカップを空気導入口を横切る断面で切ったときの当該ダストカップの断面図である。
【符号の説明】
１    掃除機本体
２    接続ホース
４    電動送風機
５    サイクロン集塵機
５ｅ  空気導入口
６    差込口
８    接続用パッキン
８ａ  開口部
９    フィルタ
１０    支持部材
【図１】
2004202073.tif 000004
【図２】
2004202073.tif 000005
【図３】
2004202073.tif 000006
【図４】
2004202073.tif 000007
【図５】
2004202073.tif 000008
【図６】
2004202073.tif 000009